(57)【要約】【課題】あらゆる場所、状況またはタイミングにおいて容易に、ユーザにマイナスイオンを供給する携帯電話機を提供すること。【解決手段】本発明の携帯電話機１０は、マイナスイオンを発生するイオン発生部１を備える。【選択図】図１
2009147650.tif 000002
【特許請求の範囲】
【請求項１】
マイナスイオンを発生するイオン発生部を備えることを特徴とする携帯電話機。
【請求項２】
上記イオン発生部がプラスイオンをさらに発生することを特徴とする請求項１に記載の携帯電話機。
【請求項３】
上記イオン発生部が内蔵されていることを特徴とする請求項１または２に記載の携帯電話機。
【請求項４】
上記イオン発生部が、着脱可能に取り付けられていることを特徴とする請求項１または２に記載の携帯電話機。
【請求項５】
上記イオン発生部から外部に風を送る送風部を、さらに備えることを特徴とする請求項１〜４のいずれか１項に記載の携帯電話機。
【請求項６】
通話ボタンが押下されたことを検出したとき、上記イオン発生部がマイナスイオンまたはプラスイオンを発生することを特徴とする請求項１〜５のいずれか１項に記載の携帯電話機。
【請求項７】
メールの機能を起動するボタンを押下されたことが検出したとき、上記イオン発生部がマイナスイオンまたはプラスイオンを発生することを特徴とする請求項１〜６のいずれか１項に記載の携帯電話機。
【請求項８】
携帯電話機と充電器との接続を検出したとき、上記イオン発生部がマイナスイオンまたはプラスイオンを発生することを特徴とする請求項１〜７のいずれか１項に記載の携帯電話機。
【請求項９】
上記イオン発生部の動作を指示するイオン発生ボタンを、さらに備えていることを特徴とする請求項１〜８に記載の携帯電話機。
【請求項１０】
インターネット回線への接続を指示するボタンが押下されたことが検出したとき、上記イオン発生部がマイナスイオンまたはプラスイオンを発生することを特徴とする請求項１〜９のいずれか１項に記載の携帯電話機。
【請求項１１】
マイナスイオンを発生する小型のイオン発生部を備える携帯電話機の制御方法であって、
上記イオン発生部がマイナスイオンを発生する工程を包含することを特徴とする携帯電話機の制御方法。
【発明の詳細な説明】
【技術分野】
【０００１】
本発明は、携帯電話機に関し、より詳細には、付加的な機能を有する携帯電話機に関する。
【背景技術】
【０００２】
近年、ユーザに寛ぎを与えるマイナスイオンを発生するイオン発生器を備える電化製品が普及している。例えば、イオン発生器を備える電化製品としては、室内の空気環境を調節する空気調和機、除湿機、加湿器、空気清浄機、またはファンヒータなどが挙げられる。これらのイオン発生器を備える電化製品は、通常、家屋の室内、ビルの一室、病院の病室、社内、飛行機内、または船内などの比較的に閉鎖された空間を対象として使用されている。
【０００３】
イオン発生器を備える従来の電化製品の一例について、図９を用いて説明する。図９は、イオン発生器を備える従来の電化製品の概略的な外観を示す斜視図である。図９に示すように、電化製品９０には、イオン発生器９１が備えられている。通常、電化製品９０の動作とともに、イオン発生器９１を動作させる。これによって、電化製品９０が本来、有している作用（室内の空気環境の調節など）に加えて、マイナスイオンによって電化製品９０が置かれている空間にいる人間に寛ぎを与えることができる。
【０００４】
イオン発生器９１が有する回路は、通常、少なくとも１対の電極を有するイオン発生素子である電極パネル、および１対の上記電極の間に電圧を印加する電圧印加手段を備えている。電圧印加手段が１対の上記電極の間に一定の電圧（放電発生電圧）を印加すると、１対の上記電極の間に放電が生じる。一対の上記電極の間に生じた放電によって、上記電極パネルからイオンが発生する。
【０００５】
図１０を用いて、イオン発生器９１がイオンを発生するメカニズムについて説明する。図１０は、イオン発生器９１が有する回路の構成を示す回路図である。図１０における、入力電圧端子＋Ｖと接地端子ＧＮＤとの間に、１２Ｖの直流電圧を印加した場合を例に挙げて説明する。
【０００６】
入力電圧端子＋Ｖと接地端子ＧＮＤとの間に、１２Ｖの直流電圧を印加すると、電流が、電流制限抵抗１０１を通って流れて、コンデンサ１０２に充電される。そして、コンデンサ１０２の充電電圧が抵抗１０５と抵抗１０６とによって分圧されて、シャントレギュレータ１０３の基準電圧に達すると、シャントレギュレータ１０３がＯＮ状態になる。これにより、トランジスタ１０４がＯＮになって、抵抗１０８を介して、サイリスタ１１１のゲートに電圧が印加される。なお、サイリスタ１１１のゲートに印加される電圧は、抵抗１０８および１０９によって分圧されている。ゲートへの電圧の印加によって、サイリスタ１１１がＯＮになる。このとき、コンデンサ１０２、昇圧トランス１１２の１次巻線１１２ａ、およびサイリスタ１１１のループによって、サイリスタ１１１の短絡が生じる。サイリスタ１１１の短絡によって、コンデンサ１０２に充電された電荷が放電されて、１次巻線１１２ａにインパルス電圧が発生する。１次巻線１１２ａのインパルス電圧によって発生する、昇圧トランス１１２の２次巻線１１２ｂおよび１１２ｃの間の高い電位差が、高圧リード線１１６および１１７を介して電極パネル１１３の１対の電極の間に生じる。高い電位差を有する１対の電極の間において放電が生じて、イオン発生素子である電極パネル１１３は、イオンを放出する。なお、ダイオード１１０は、逆方向に電流が流れることを防止し、かつコンデンサ１０７は、ノイズを除去するために配置されている。つまり、ダイオード１１０およびコンデンサ１０７は、回路の安定動作のために用いられている。
【０００７】
また、リレー端子ＲＹ  ＯＮにリレー１１４の動作電圧を印加すると、リレー１１４が動作（クローズ）する。リレー１１４がクローズすると、昇圧トランス１１２の２次巻線１１２ｃが、ダイオード１１５を介して接地端子ＧＮＤと接続されるので、電極パネル１１３からはマイナスイオンが放出される。一方、リレー１１４がオープンのときには、電極パネル１１３は、プラスイオンおよびマイナスイオンを放出する。
【０００８】
なお、電極パネル１１３としては、特許文献１に開示されている構成を採用することができる。特許文献１に記載のイオン発生装置は、使用環境（空気の湿度が高い状態など）に左右される、イオン発生素子（電極パネル１１３）からのイオンの発生量の低減を解消するために、イオン発生素子を過熱する加熱手段が設けられている。
【特許文献１】特開２００４−６２９６号公報（平成１６年１月８日公開）
【特許文献２】特開２００３−１００４１９号公報（平成１５年４月４日公開）
【特許文献３】特開２００３−３３６８７１号公報（平成１５年１１月２８日公開）
【発明の開示】
【発明が解決しようとする課題】
【０００９】
しかし、特許文献１のイオン発生装置は、室内など比較的に閉鎖された空間内に設置する空調設備に使用されるものであり、任意の場所においてイオンを発生することができない。つまり、ユーザは、特定の空間に留まらなければ、マイナスイオンの供給を受けることができない。よって、マイナスイオンの供給を受けるために、ユーザの行動が制限される。
【００１０】
本発明は、上記課題に鑑みてなされたものであり、本発明の目的は、あらゆる場所、状況またはタイミングにおいて容易に、ユーザにマイナスイオンを供給する携帯電話機を提供することである。
【課題を解決するための手段】
【００１１】
本発明の携帯電話機は、上記課題を解決するために、
マイナスイオンを発生するイオン発生部を備えることを特徴とする。
【００１２】
上記構成において、イオン発生部は、自動的に、またはユーザが所望するときに、マイナスイオンを発生する。つまり、イオン発生部は、あらゆる場所、状況またはタイミングにおいて、マイナスイオンを発生する。このため、ユーザが携帯電話機を所持しているとき、または携帯電話機の近くにいるときであれば、ユーザは、いつでもマイナスイオンの供給を受けることができる。言い換えれば、ユーザは、マイナスイオンの供給を受けるために、特定の場所に留まっている必要がない。
【００１３】
ここで、例えば、ユーザによって携帯電話機が起動されたとき、イオン発生部は、マイナスイオンを発生する。また、例えば、ユーザが着信時または発信時に通話ボタンを押したときに、イオン発生部は、マイナスイオンを発生する。また、例えば、ユーザがメールの機能を起動するボタンを押したとき、イオン発生部は、マイナスイオンを発生する。また、例えば、ユーザが携帯電話機を充電器に接続したとき、イオン発生部は、マイナスイオンを発生する。また、例えば、ユーザがインターネット回線との接続を指示するボタンを押したとき、イオン発生部は、マイナスイオンを発生する。このように、イオン発生部は、ユーザが携帯電話機を使用することによって、自動的にユーザにマイナスイオンを供給する。
【００１４】
ここで、例えば、ユーザがマイナスイオンの発生を指示するボタンを押したとき、イオン発生部は、マイナスイオンを発生する。このように、イオン発生部は、ユーザが所望するときに、ユーザにマイナスイオンを供給する。
【００１５】
上記構成を有することによって、あらゆる空間において容易に、ユーザにマイナスイオンを供給する携帯電話機を提供することができるという効果を奏する。
【００１６】
また、本発明の携帯電話機において、
上記イオン発生部がプラスイオンをさらに発生することが好ましい。
【００１７】
イオン発生部が、さらにプラスイオンを発生することによって、空気中の浮遊細菌を除去（除菌）することができる。このため、マイナスイオンによって、ユーザに寛ぎを与えるだけでなく、マイナスイオンとプラスイオンとによって、ユーザの周囲の環境を微視的に清潔な状態にすることができる。
【００１８】
また、本発明の携帯電話機において、
上記イオン発生部が内蔵されていることが好ましい。
【００１９】
上記構成を有することによって、携帯電話機の外観および使い易さを損なうことなく、イオンの発生による作用を得ることができる。
【００２０】
また、本発明の携帯電話機において、
上記イオン発生部が、着脱可能に取り付けられていることが好ましい。
【００２１】
上記構成において、イオン発生部が着脱可能に接続されているとは、例えば、イオン発生部が外部接続端子を介して携帯電話機に接続されている、イオン発生部が携帯電話機に貼り付けられている、またはイオン発生部が取り外し可能に携帯電話機にねじ止めされている場合などを指している。つまり、イオン発生部を従来の携帯電話機に付属品として取り付けることができる。
【００２２】
また、本発明の携帯電話機において、
上記イオン発生部から外部に風を送る送風部を、さらに備えることが好ましい。
【００２３】
上記構成において、送風部からの風によって、イオン発生部から発生したイオンが外部に運ばれる。よって、イオン発生部から発生したイオンを効率的にユーザに供給することができる。
【００２４】
また、本発明の携帯電話機において、
通話ボタンが押下されたことを検出したとき、上記イオン発生部がマイナスイオンまたはプラスイオンを発生することが好ましい。
【００２５】
上記構成によって、電話の着信時または発信時にイオン発生部が自動的にイオンが発生する。よって、ユーザは、特別な操作を行うことなく、通話時にイオンの供給を受けることができる。
【００２６】
また、本発明の携帯電話機において、
メールの機能を起動するボタンが押下されたことを検出したとき、上記イオン発生部がマイナスイオンまたはプラスイオンを発生することが好ましい。
【００２７】
上記構成によって、受信したメールの確認時または送信するメールの作成時にイオン発生部が自動的にイオンが発生する。よって、ユーザは、特別な操作を行うことなく、メール機能の使用時にイオンの供給を受けることができる。
【００２８】
また、本発明の携帯電話機において、
携帯電話機と充電器との接続を検出したとき、上記イオン発生部がマイナスイオンまたはプラスイオンを発生することが好ましい。
【００２９】
上記構成によって、携帯電話機の充電開始時にまたは充電中にイオン発生部が自動的にイオンが発生する。よって、ユーザは、特別な操作を行うことなく、充電中にイオンの供給を受けることができる。
【００３０】
また、本発明の携帯電話機において、
上記イオン発生部の動作を指示するイオン発生ボタンを、さらに備えていることが好ましい。
【００３１】
上記構成によって、ユーザが所望する場所、状況またはタイミングにおいて、ユーザは、イオン発生部からイオンの供給を受けることができる。
【００３２】
また、本発明の携帯電話機において、
インターネット回線への接続を指示するボタンが押下されたことが検出したとき、上記イオン発生部がマイナスイオンまたはプラスイオンを発生することが好ましい。
【００３３】
上記構成によって、インターネット回線への接続時にイオン発生部が自動的にイオンが発生する。よって、ユーザは、特別な操作を行うことなく、ネットワーク上の情報の閲覧時にイオンの供給を受けることができる。
【００３４】
本発明の携帯電話機の制御方法は、上記課題を解決するために、
マイナスイオンを発生する小型のイオン発生部を備える携帯電話機の制御方法であって、
上記イオン発生部がマイナスイオンを発生する工程を包含することを特徴とする。
【００３５】
イオン発生部は、例えば、ユーザの操作に応じて、マイナスイオンを発生する。ユーザの操作とは、例えば、ユーザによる携帯電話機の起動、通話ボタンの押下、メールの機能を起動するボタンの押下などである。また、例えば、ユーザの操作とは、インターネット回線との接続を指示するボタンの押下、携帯電話機の充電器との接続、またはマイナスイオンの発生を指示するボタンの押下などである。すなわち、イオン発生部は、あらゆる空間（場所）、状況またはタイミングなどにおいて、マイナスイオンを発生する。
【００３６】
よって、上述の携帯電話機と同様の効果を奏する。
【発明の効果】
【００３７】
以上のように、本発明の携帯電話機は、イオン発生部を備えているので、あらゆる空間（場所）、状況またはタイミングにおいて容易に、ユーザにマイナスイオンを供給することができる。よって、あらゆる場所、状況またはタイミングにおいて、ユーザに寛ぎを与えることができるという効果を奏する。
【発明を実施するための最良の形態】
【００３８】
本発明に係る実施形態について、図１〜図６を参照して説明する。以下の説明において同一の部材および構成要素のそれぞれには、同一の符号を付してある。それらの名称および機能も同様である。したがって、それらについての詳細な説明は繰り返さない。
【００３９】
〔実施の形態１〕
本発明に係る一実施形態の携帯電話機について、図１を用いて以下に説明する。図１は、イオン発生器（イオン発生部）１を内蔵する携帯電話機１０の外観を示す斜視図である。
【００４０】
図１に示すように、携帯電話機１０は、内部にイオン発生器１を備えている。イオン発生器１は、ユーザによる携帯電話機１０の操作に応じて、マイナスイオンを発生する。ユーザによる携帯電話機１０の操作とは、例えば、ユーザによる携帯電話機の起動、通話ボタンの押下、メールの機能を起動するボタンの押下、インターネット回線との接続を指示するボタンの押下、携帯電話機の充電器との接続、またはマイナスイオンの発生を指示するボタンの押下などである。イオン発生部は、あらゆる空間（場所）、状況またはタイミングなどにおいて、マイナスイオンを発生する。
【００４１】
よって、図９の電化製品に備えられているイオン発生器からのイオンの供給を受ける場合とは異なり、ユーザは、特定の場所（電化製品の設置された空間など）に留まることなく、携帯電話機１０からのイオンの供給を受けることができる。つまり、携帯電話機１０は、ユーザが持ち運ぶことによって、あらゆる空間において容易に、ユーザにマイナスイオンを供給することができる。よって、あらゆる空間において、ユーザに寛ぎを与えることができる。
【００４２】
ここで、図９および１０に示したイオン発生器を、小型化する方法としては、イオン発生器を構成する全ての部品を、１つのパッケージに収めて集積回路（ＩＣ）化する方法が最も有効であると考えられる。さらに、上記方法によれば、イオン発生器の省電力化が実現可能である。上記方法によって小型化したイオン発生器の構成を図１１に示す。図１１は、小型化したイオン発生器の構成を示すブロック図である。図１１に示すイオン発生器は、高い電位差を生じさせるために、マイコンおよびＭＯＳＦＥＴを備えている。図１１に示すイオン発生器は、特願２００７−０１８９２０号（平成１９年１月３０日出願、本願の出願前の確認時点において未公開）として特許出願されている。
【００４３】
さらに、イオン発生器１は、マイナスイオンだけでなく、プラスイオンを発生することができる。マイナスイオンとプラスイオンとが同時に存在すると、例えば、空気中に浮遊する細菌を除去（殺菌）することができる。よって、携帯電話機１０は、ユーザにくつろぎを与えるだけでなく、ユーザの周囲の空気を清潔な状態に変えることができる。つまり、ユーザは、携帯電話機１０の使用によって、寛ぎという精神的な状態の向上だけでなく、清潔さという衛生的な状態の向上を享受することができる。
【００４４】
また、携帯電話機１０のボタンが配置されている操作部の面の内、イオン発生部１の直上にある部分に、（複数の）小さな穴が形成されていてもよい。これによって、上記穴からユーザに対して効率的にイオンを供給することができる。さらに、携帯電話機１０は、携帯電話機１０の操作部の面に開けられた上記穴から、外部に風を送り出すファンをさらに備えていてもよい。これによって、イオン発生器１から発生したイオンがより効率的にユーザに供給される。
【００４５】
なお、イオン発生器１の種類によっては、イオンを発生する電極は、単にイオンを発生する機能しか有していない場合もある。このため、上記ファンからの風を、電極を介して上記穴から外部に送り出してもよい。上記ファンを備えることによって、上記電極から発生したイオンを外部に流すことができる。このとき、イオン発生器１としては、イオンを発生する機能だけを有する構成であればよく、あらゆる種類の構成を用いることができる。
【００４６】
〔実施の形態２〕
本発明に係る他の実施形態の携帯電話機について、図２および３を用いて以下に説明する。図２は、イオン発生器（イオン発生部）２１が外部から取り付けられた携帯電話機２０の外観を示す図である。図３は、ファン（送付部）３０が取り付けられたイオン発生器２１の外観を示す斜視図である。
【００４７】
図２に示すように、携帯電話機２０には、外部接続端子（図示せず）を介して外付け型イオン発生器２１が取り付けられる。外付け用のイオン発生器２１は、イオン発生器２１ａ、および携帯電話機２０の外部接続端子に挿入する着脱機構部２１ｂを備えている。つまり、外付け型イオン発生器２１は、取り外し可能なイオン発生器である。よって、外部接続端子を有する従来の携帯電話機２０に取り付けることができる。イオンの供給が不要であるときには、外付け型イオン発生器２１を取り外して携帯電話機２０を使用してもよい。
【００４８】
イオン発生器２１ａは、イオン発生器１と同じ機能を有している。よって、その作用の詳細については、実施の形態１を参照すればよい。
【００４９】
また、図３に示すように、外付け用のイオン発生器２１には、ファン（送風部）３０が取り付けられていてもよい。これによって、上述のように、イオン発生器２１から発生したイオンを効率よくユーザに供給することができる。
【００５０】
〔実施の形態３〕
本発明に係る携帯電話機からイオンが発生するフローについて、図４〜図８を用いて、以下に説明する。図４は、携帯電話機１０が通話中にイオンを発生するフローを示すフローチャートである。図５は、携帯電話機１０がメール機能の使用中にイオンを発生するフローを示すフローチャートである。図６は、携帯電話機１０が充電によってイオンを発生するフローを示すフローチャートである。図７は、携帯電話機１０が充電中にイオンを発生するフローを示すフローチャートである。図８は、携帯電話機１０がユーザによる指示によってイオンを発生するフローを示すフローチャートである。
【００５１】
（通話中にイオンを発生する処理）
携帯電話機１０が自動的にイオンを供給する処理の一例について、図４を用いて以下に説明する。この処理は、着信時または発信時に、ユーザが通話ボタンを押したときに、イオン発生器１がイオンを発生する処理である。
【００５２】
図４に示すように、まず、ユーザの操作によって、携帯電話機１０の電源がＯＮになって、待ち受け（待機）状態になる（Ｓ４０）。
【００５３】
次に、通話ボタンが押下されたか否かが判定される（Ｓ４１）。ここで、通話ボタンが押下されていない（ＮＯ）と判定されると、引き続いて待機状態が継続される。
【００５４】
次に、Ｓ４１において、通話ボタンが押下された（ＹＥＳ）と判定されると、イオン発生器１が動作して、イオンが発生する（Ｓ４２）。
【００５５】
次に、通話が終了されたこと（通話終了ボタンの押下）が検出される（Ｓ４３）と、イオン発生器１の動作が停止して、イオンの発生が終了する（Ｓ４４）。
【００５６】
以上のように、Ｓ４１〜Ｓ４４の処理によって、ユーザは、通話の開始と通話の終了とを指示する操作を行うことによって、通話中に自動的にイオンの供給を受けることができる。
【００５７】
（メール機能の使用中にイオンを発生する処理）
携帯電話機１０が自動的にイオンを供給する処理の他の一例について、図５を用いて以下に説明する。この処理は、ユーザによるメールの確認時またはメールの送信時に、イオン発生器１がイオンを発生する処理である。
【００５８】
図５に示すように、まず、ユーザの操作によって、携帯電話機１０の電源がＯＮになって、待ち受け（待機）状態になる（Ｓ５０）。
【００５９】
次に、メール機能を起動するボタンが押下されたか否かが判定される（Ｓ５１）。ここで、メール機能を起動するボタンが押下されていない（ＮＯ）と判定されると、引き続いて待機状態が継続される。
【００６０】
次に、Ｓ５１において、メール機能を起動するボタンが押下された（ＹＥＳ）と判定されると、イオン発生器１が動作して、イオンが発生する（Ｓ５２）。
【００６１】
次に、メール機能が終了されたこと（メール機能の終了ボタンの押下、またはメールの送信完了）が検出される（Ｓ５３）と、イオン発生器１の動作が停止して、イオンの発生が終了する（Ｓ５４）。
【００６２】
以上のように、Ｓ５１〜Ｓ４の処理によって、ユーザは、メール機能の起動と、メール機能の終了またはメールの送信とを指示する操作を行うことによって、メール機能の使用中に自動的にイオンの供給を受けることができる。
【００６３】
なお、携帯電話機１０は、メール機能の使用時に限らず、ウェブページの閲覧などのインターネット機能の使用時にイオンを発生してもよい。この場合、イオンの発生開始の引き金になるのは、例えば、インターネット回線への接続を指示するボタンの押下であり、イオンの発生停止の引き金になるのは、例えば、インターネット回線との接続を切ることを指示するボタンの押下である。
【００６４】
（充電によってイオンを発生する処理）
携帯電話機１０が自動的にイオンを供給する処理のさらに他の一例について、図６を用いて以下に説明する。この処理は、ユーザが、携帯電話機１０を充電することによって、イオン発生器１がイオンを発生する処理である。
【００６５】
図６に示すように、まず、ユーザの操作によって、携帯電話機１０の電源がＯＮになって、待ち受け（待機）状態になる（Ｓ６０）。
【００６６】
次に、携帯電話機１０と充電器とが接続されているか否かが判定される（Ｓ６１）。ここで、携帯電話機１０と充電器とが接続されていない（ＮＯ）と判定されると、引き続いて待機状態が継続される。
【００６７】
次に、Ｓ６１において、携帯電話機１０と充電器とが接続された（ＹＥＳ）と判定されると、イオン発生器１が動作して、イオンが発生する（Ｓ６２）。
【００６８】
次に、充電が終了されたこと（携帯電話機１０と充電器との接続の解除）が検出される（Ｓ６３）と、イオン発生器１の動作が停止して、イオンの発生が終了する（Ｓ６４）。
【００６９】
以上のように、Ｓ６１〜Ｓ６４の処理によって、ユーザは、携帯電話機１０と充電器との着脱を行うことによって、充電中に自動的にイオンの供給を受けることができる。このため、携帯電話機１０とＡＣアダプタなどの充電器とが接続されたままの状態であれば、イオンの発生が継続する。
【００７０】
（充電中にイオンを発生する処理）
図６を用いて説明した、携帯電話機１０が自動的にイオンを供給する処理の変形例について、図７を用いて以下に説明する。この処理は、携帯電話機１０の充電中に、イオン発生器１がイオンを発生する処理である。
【００７１】
図７に示すように、まず、ユーザの操作によって、携帯電話機１０の電源がＯＮになって、待ち受け（待機）状態になる（Ｓ７０）。
【００７２】
次に、携帯電話機１０の電池に対して充電器から電力が供給されているか否かが判定される（Ｓ７１）。ここで、携帯電話機１０の電池に対して充電器から電力が供給されていない（ＮＯ）と判定されると、引き続いて待機状態が継続される。
【００７３】
次に、Ｓ７１において、携帯電話機１０の電池に対して充電器から電力が供給されている（ＹＥＳ）と判定されると、イオン発生器１が動作して、イオンが発生する（Ｓ７２）。
【００７４】
次に、電池に対する充電中（電力の供給中）であるか否かが判定される（Ｓ７３）。ここで、電池に対する充電中である（ＹＥＳ）と判定されると、引き続いてイオン発生器１によるイオンの発生が継続する。
【００７５】
次に、Ｓ７３において、電池に対する充電が終了した（ＮＯ）と判定されると、イオン発生器１の動作が停止して、イオンの発生が終了する（Ｓ７４）。
【００７６】
以上のように、Ｓ７１〜Ｓ７４の処理によって、ユーザは、携帯電話機１０と充電器と接続するだけで、充電中に自動的にイオンの供給を受けることができる。
【００７７】
（ユーザの指示によってイオンを発生する処理）
携帯電話機１０がユーザからの指示によってイオンを供給する処理について、図８を用いて、以下に説明する。この処理は、ユーザが、携帯電話機１０のイオン発生ボタン（イオンの発生を指示するボタン）を押下することによって、イオン発生器１がイオンを発生する処理である。
【００７８】
図８に示すように、まず、ユーザの操作によって、携帯電話機１０の電源がＯＮになって、待ち受け（待機）状態になる（Ｓ８０）。
【００７９】
次に、イオン発生指示が入力（イオン発生ボタンが押下）されたか否かが判定される（Ｓ８１）。ここで、イオン発生ボタンが押下されていない（ＮＯ）と判定されると、引き続いて待機状態が継続される。
【００８０】
次に、Ｓ８１において、イオン発生ボタンが押下された（ＹＥＳ）と判定されると、イオン発生器１が動作して、イオンが発生する（Ｓ８２）。
【００８１】
次に、イオン発生停止指示が入力（イオン発生ボタンがふたたび押下、またはイオン発生停止ボタンが押下）されたか否かが判定される（Ｓ８３）。ここで、イオン発生停止指示が入力されていない（ＮＯ）と判定されると、引き続いてイオンの発生が継続する。
【００８２】
次に、Ｓ８３において、イオン発生停止指示が入力された（ＹＥＳ）と判定されると、イオン発生器１の動作が停止して、イオンの発生が終了する（Ｓ８４）。
【００８３】
以上のように、Ｓ８１〜Ｓ８４の処理によって、ユーザは、所望のタイミングおよび所望の期間において、携帯電話機１０からイオンの供給を受けることができる。
【００８４】
（その他の構成）
本発明は、以下の構成によっても実現可能である。
【００８５】
（第１の構成）
小型イオン発生器を有し、マイナスイオンを発生することが可能なイオン発生機能付携帯電話。
【００８６】
（第２の構成）
前記小型イオン発生器によりプラスイオンを同時に発生することが可能な第１の構成に係るイオン発生機能付携帯電話。
【００８７】
（第３の構成）
前記小型イオン発生器を携帯電話ユニット内に内蔵した第１または第２の構成に係るイオン発生機能付携帯電話。
【００８８】
（第４の構成）
前記小型イオン発生器を携帯電話に着脱することが可能な第１または第２の構成に係るイオン発生機能付携帯電話。
【００８９】
（第５の構成）
前記小型イオン発生器がイオン発生用のファンを有する第１〜第４の構成のいずれか１つに係るイオン発生機能付携帯電話。
【００９０】
（第６の構成）
前記携帯電話の通話中にイオンが発生する第１〜第５の構成のいずれか１つに係るイオン発生機能付携帯電話。
【００９１】
（第７の構成）
前記携帯電話のメール機能操作中にイオンが発生する第１〜第６の構成のいずれか１つに係るイオン発生機能付携帯電話。
【００９２】
（第８の構成）
前記携帯電話の充電中にイオンが発生することを特徴とする第１〜第７の構成のいずれか１つにイオン発生機能付携帯電話。
【００９３】
（第９の構成）
前記携帯電話の任意の操作することによりイオンが発生する第１〜第８の構成いずれか１つに係るイオン発生機能付携帯電話。
【産業上の利用可能性】
【００９４】
本発明によれば、あらゆる空間において、携帯電話機からイオンを発生させることができる。よって、本発明は、携帯電話機の全般に適用することができる。
【図面の簡単な説明】
【００９５】
【図１】本発明に係る携帯電話機の外観を示す斜視図である。
【図２】図１の携帯電話機の変形例の外観を示す斜視図である。
【図３】図２のイオン発生器の変形例の外観を示す斜視図である。
【図４】本発明に係る携帯電話機におけるイオンを発生するフローの一例を示すフローチャートである。
【図５】図４とは異なる、本発明に係る携帯電話機におけるイオンを発生するフローの一例を示すフローチャートである。
【図６】図４とは異なる、本発明に係る携帯電話機におけるイオンを発生するフローの他の一例を示すフローチャートである。
【図７】図６の変形例を示すフローチャートである。
【図８】図４とは異なる、本発明に係る携帯電話機におけるイオンを発生するフローのさらに他の一例を示すフローチャートである。
【図９】従来のイオン発生器を備える電化製品の構成を示す斜視図である。
【図１０】従来のイオン発生器が有する回路の構成を示す回路図である。
【図１１】小型化したイオン発生器の構成を示すブロック図である。
【符号の説明】
【００９６】
１      イオン発生器（イオン発生部）
１０    携帯電話機
２０    携帯電話機
２１    外付け型イオン発生器
２１ａ  イオン発生器（イオン発生部）
２１ｂ  着脱機構部
３０    ファン（送風部）
【図１】
2009147650.tif 000003
【図２】
2009147650.tif 000004
【図３】
2009147650.tif 000005
【図４】
2009147650.tif 000006
【図５】
2009147650.tif 000007
【図６】
2009147650.tif 000008
【図７】
2009147650.tif 000009
【図８】
2009147650.tif 000010
【図９】
2009147650.tif 000011
【図１０】
2009147650.tif 000012
【図１１】
2009147650.tif 000013